(57)【要約】【課題】  接着剤による固定を損なうことなく、分別回収時におけるベースカップの取外しを容易とする構成の創出を課題とし、ベースカップの組付き固定性と取外し易さの両立した壜体を提供することを目的とする。【解決手段】  壜本体の底部にハカマ状のベースカップを嵌合組付けした壜体において、このベースカップの底固定部を、壜本体に外装したシュリンクフィルムに接着剤で接着し、前記シュリンクフィルムを介して底部に固定する構成とする。【選択図】図１
2006151460.tif 000002
【特許請求の範囲】
【請求項１】
壜本体(1)の底部(5)にハカマ状のベースカップ(12)を嵌合組付けした壜体において、該ベースカップ(12)の底固定部(13)を、壜本体(1)に外装したシュリンクフィルム(11)に接着剤(17)で接着し、該シュリンクフィルム(11)を介して前記底部(5)に固定する構成としたベースカップ付き壜体。
【請求項２】
遮光性を有するシュリンクフィルム(11)とベースカップ(12)で口筒部(2)を除く壜本体(1)の略全体を外装する構成とした請求項１記載のベースカップ付き壜体。
【請求項３】
ベースカップ(12)底壁の壜本体(1)底部(5)のシュリンクフィルム(11)で外装された部分に対向する位置に、水抜きのための底孔(14)を開口する構成とした請求項２記載のベースカップ付き壜体。
【発明の詳細な説明】
【技術分野】
【０００１】
本発明は、底部に自立性、あるいは遮光性を付与するためのベースカップを嵌合組付き固定した合成樹脂製の壜体に関する。
【背景技術】
【０００２】
たとえば特許文献１には、半球状に膨出した底部を有する壜本体に、自立性を付与するためのハカマ状のベースカップについての記載がある。
【特許文献１】実開平５−２２３３６号公報
【発明の開示】
【発明が解決しようとする課題】
【０００３】
通常、上記のようなベースカップは壜体の底部部分の形状に沿って、接着剤を介して外接する底固定部を有し、この接着剤により壜体底部にしっかりと組付き固定され、充填ライン等で衝撃力が作用しても簡単には外れないようにしているが、一方、このように接着してしまうと壜体の使用後の分別回収ではベースカップを簡単に外すことができないという問題がある。
【０００４】
本発明は、上記した問題を解消すべく創案されたもので、接着剤による組付き固定性を損なうことなく、分別回収時におけるベースカップの取外しを容易とする構成の創出を課題とし、ベースカップの組付き固定性と取外し易さの両立した壜体を提供することを目的とする。
【課題を解決するための手段】
【０００５】
請求項１記載の発明の手段は、壜本体の底部にハカマ状のベースカップを嵌合組付けした壜体において、このベースカップの底固定部を、壜本体に外装したシュリンクフィルムに接着剤で接着し、このシュリンクフィルムを介して底部に固定する構成とすること、にある。
【０００６】
請求項１記載の、ベースカップの底固定部を、壜本体に外装したシュリンクフィルムに接着剤で接着し、このシュリンクフィルムを介して底部に固定する、
なる構成によれば、ベースカップは接着剤により壜本体の底部に直接接着していないが、シュリンクフィルムは密着状に壜本体を外装しているので、ベースカップはしっかりと壜本体底部に嵌合組付け固定される。
【０００７】
そして、ベースカップは接着剤により壜本体の底部に直接接着していないので、分別回収の際にはまずシュリンクフィルムを予め形成されているミシン目等から破断した状態で、このシュリンクフィルムと共にベースカップを壜本体の底部から容易に取り外すことができる。
【０００８】
ここで、請求項１記載の上記構成において、シュリンクフィルムでの壜本体の外装は使用目的に応じて、シュリンクフィルムを介してのベースカップの底部への固定が確実な範囲で、壜本体の口筒部直下、肩部、あるいは胴部から底部を含む範囲とすることができる。また底部の、ベースカップの底固定部に対向する部分を含む範囲まで外装した状態であれば、底固定部をシュリンクフィルムに接着することができ、必ずしも底部の全範囲が外装されている必要はない。
【０００９】
なお、ベースカップの嵌合組付け固定状態をより確実なものとするために、たとえば、ベースカップの上端部がシュリンクフィルムを挟んで、壜本体の底部上端部にしっかりと外接するような構成としたり、アンダーカット状に外嵌するような構成とすることが好ましい。
【００１０】
請求項２記載の発明の手段は、請求項１記載の発明において、遮光性を有するシュリンクフィルムとベースカップで口筒部を除く壜本体の略全体を外装する構成とすること、にある。
【００１１】
内容物が光により変質したり、品質低下する場合に遮光性を有するシュリンクフィルムとベースカップにより壜本体の略全体に遮光性を付与するが、請求項２記載の上記構成により、このような遮光性機能を有する壜体の分別回収を容易にすることができる。
【００１２】
請求項３記載の発明の手段は、請求項２記載の発明において、ベースカップ底壁の、壜本体底部のシュリンクフィルムで外装された部分に対向する位置に、水抜きのための底孔を開口する構成とすること、にある。
【００１３】
請求項３記載の上記構成により、水抜きのための底孔からの進入した光をシュリンクフィルムでカットできるので、壜体全体としての遮光性機能をより確実に発揮させることができる。
【発明の効果】
【００１４】
本発明は上記した構成であり、以下に示す効果を奏する。
請求項１記載の発明にあっては、シュリンクフィルムは密着状に壜本体を外装しているので、ベースカップはしっかりと壜本体底部に嵌合組付け固定され、ベースカップは接着剤により壜本体の底部に直接接着していないので、分別回収の際にシュリンクフィルムと共にベースカップを壜本体の底部から容易に取り外すことができる。
【００１５】
請求項２記載の発明にあっては、シュリンクフィルムとベースカップにより壜本体の略全体に遮光性を付与した壜体の分別回収を容易にすることができる。
【００１６】
請求項３記載の発明にあっては、水抜きのための底孔からの進入した光をシュリンクフィルムでカットできるので、壜体全体としての遮光性機能をより確実に発揮させることができる。
【発明を実施するための最良の形態】
【００１７】
以下本発明の実施の形態を説明する。
図１〜図３は、本発明のベースカップ付き壜体の一実施例を示すものであり、図１は部分縦断正面図、図２は図１の要部を拡大した部分縦断正面図である。壜本体１は円筒状の所謂ＰＥＴボトルであり、口筒部２、肩部３、胴部４および底部５を有し、底部５は略半球状に陥没した形状をしている。
【００１８】
また、この壜本体１の、口筒部２の直下から、底部５の下端部までの範囲に亘って遮光性を有するシュリンクフィルム１１で外装している。
【００１９】
そして、底部５には略この底部５に沿った形状をした遮光性を有するベースカップ１２が外嵌組付き固定している。詳述すると、ベースカップ１２の円筒状の上端部１５がシュリンクフィルム１１を挟んだ状態で壜本体１の底部５上端部にしっかりと外接すると共に、底固定部１３が略等中心角度の位置の数箇所で接着剤１７により、底部５を外装するシュリンクフィルム１１に接着固定されている。
【００２０】
また、ベースカップ１２の底壁には、略等中心角度の数箇所、壜本体１底部５のシュリンクフィルム１１で外装された部分に対向する位置に、水抜きのための底孔１４が開口している。このためこの底孔１４から進入する光はシュリンクフィルム１１により遮られ遮光性をより確実なものとすることができる。
【００２１】
上記のような状態で、ベースカップ１２は接着剤１７により壜本体１の底部５に直接接着していないものの、シュリンクフィルム１１が、口筒部２および底部５底面を除いた壜本体１の略全域に亘って密着状に壜本体５を外装しているので、ベースカップ１２はしっかりと壜本体１底部５に嵌合組付け固定される。
【００２２】
そして、ベースカップ１２は接着剤１７により壜本体１の底部５に直接接着していないので、分別回収の際にはまずシュリンクフィルム１１を予め形成されているミシン目等から破断した状態で（図３中の破断部参照）、このシュリンクフィルム１１と共にベースカップ１２を壜本体１の底部５から容易に取り外すことができる。（図３参照）
【００２３】
以上実施例で本発明の構成、その作用効果を具体的に記載、説明したが、本発明は上記実施例に限定されるものではない。たとえばベースキャップは炭酸飲料用等、耐圧性を付与するために半球状に膨出させた底部を有する壜体の自立性確保のためにも使用されるが、この場合にもシュリンクフィルムと組み合わせて本願発明の作用効果を発揮させることができる。
【産業上の利用可能性】
【００２４】
以上説明したように、本願発明はベースカップの組付き固定性と取外し易さの両立した壜体を提供でき、遮光性、自立性等ベースカップが必要とされる用途等において、より幅広い展開が期待される。
【図面の簡単な説明】
【００２５】
【図１】本発明の壜体の一実施例の一部縦断正面図である。
【図２】図１の壜体の要部一部縦断正面図である。
【図３】図１の壜体において、壜体底部からシュリンクフィルムと共に、ベースカップを取り外した状態を要部半縦断正面図で示す説明図である。
【符号の説明】
【００２６】
１  ；壜本体
２  ；口筒部
３  ；肩部
４  ；胴部
５  ；底部
１１；シュリンクフィルム
１１ａ；破断部
１２；ベースカップ
１３；底固定部
１４；底孔
１５；上端部
１７；接着剤
【図１】
2006151460.tif 000003
【図２】
2006151460.tif 000004
【図３】
2006151460.tif 000005